(57)【特許請求の範囲】
【請求項１】
発光領域が複数の分割領域に分割され、当該分割領域にＲ、Ｇ、Ｂの発光素子の組が複数設けられた照明装置であって、
前記分割領域毎にそれぞれ設けられた光強度検出用のカラーセンサと、
前記分割領域毎にそれぞれ設けられた校正用照明と、
前記分割領域毎に前記発光素子および校正用照明を駆動する駆動手段と、
前記分割領域毎に、その分割領域に配設された前記発光素子群のみを点灯させたときの前記カラーセンサの検出値をその分割領域に応じた光強度の基準値とし、当該分割領域に配設された前記校正用照明のみを点灯させたときの前記カラーセンサの検出値である校正用基準値とともに記憶された記憶手段と、
前記校正用照明の点灯制御と前記発光素子の光強度を制御する制御手段とを備え、
前記制御手段は、前記分割領域毎に前記校正用照明を点灯させたときの前記カラーセンサの検出結果と前記校正用基準値および前記分割領域毎に前記発光素子を点灯させたときの前記カラーセンサの検出結果と前記光強度の基準値を用いて、前記カラーセンサのそれぞれに応じた経時変化による特性変化を補償して前記発光素子の前記光強度を制御することを特徴とする照明装置。
【請求項２】
発光領域が複数の分割領域に分割され、当該分割領域にＲ、Ｇ、Ｂの発光素子の組が複数設けられており、
前記分割領域毎にそれぞれ設けられた光強度検出用のカラーセンサと、
前記分割領域毎にそれぞれ設けられた校正用照明と、
前記分割領域毎に前記発光素子および校正用照明を駆動する駆動手段と、
前記分割領域毎に、その分割領域に配設された前記発光素子群のみを点灯させたときの前記カラーセンサの検出値をその分割領域に応じた光強度の基準値とし、当該分割領域に配設された前記校正用照明のみを点灯させたときの前記カラーセンサの検出値である校正用基準値とともに記憶された記憶手段と、
前記校正用照明の点灯制御と前記発光素子の光強度を制御する制御手段とを備えた照明装置の制御方法であって、
前記制御手段が、
前記分割領域毎に前記校正用照明を点灯させたときの前記カラーセンサの検出結果と前記校正用基準値および前記分割領域毎に前記発光素子を点灯させたときの前記カラーセンサの検出結果と前記光強度の基準値を用いて、前記カラーセンサのそれぞれに応じた経時変化による特性変化を補償して前記発光素子の前記光強度を制御する
ことを特徴とする照明装置の制御方法。
【発明の詳細な説明】
【技術分野】
【０００１】
本発明は、発光素子に発光ダイオード（Light Emitting Diode）を採用した透過型の表示装置用の照明装置及び照明装置の制御方法に関する。
【背景技術】
【０００２】
液晶ディスプレイのような透過型の表示装置用の照明装置の光源は、冷陰極管が主流であるが、広色再現、環境配慮（水銀レス）の観点から発光ダイオード（Light Emitting Diode、以下ＬＥＤ）が冷陰極管に変わる光源として有望視されている。特に液晶ディスプレイでは、赤色ＬＥＤ、緑色ＬＥＤ、青色ＬＥＤを照明装置の光源に使用すると、色再現域が拡大することから盛んに検討されている。
【０００３】
現状のＬＥＤは、一個あたりの発光強度が冷陰極管に比べて小さいため、１０型以上の液晶ディスプレイで２００ｃｄ／ｍ２以上の輝度を得るためには複数のＬＥＤを照明装置内に配置する必要がある。またＬＥＤは図１０に示すように接合部温度に対する発光強度が各色で異なる特性を有している。一般に赤色ＬＥＤと緑、青色ＬＥＤで構造が異なるため、接合部温度の上昇に伴う発光強度の低下は、赤色ＬＥＤの方が緑、青色ＬＥＤに比べて大きい。さらに連続点灯による発光強度の低下は、図１１に示すように接合部温度が高い程、加速される。
【０００４】
ここで照明装置内のＬＥＤの接合部温度について考えてみる。通常、液晶ディスプレイは、水平面に対して垂直方向に設置される。このときＬＥＤから発生した熱により暖められた空気は比重が軽くなり上昇する。これにより上部のベース基材温度は中央部に比べて高くなり、下部のベース基材温度は中央部に比べて低くなる。このときＬＥＤの接合部温度は、図１２に示すように上部のＬＥＤの接合部温度は中央部に比べて高くなり、下部のＬＥＤの接合部温度は中央部に比べて低くなる。
【０００５】
このことから赤色ＬＥＤ、緑色ＬＥＤ、青色ＬＥＤを、透過型の表示装置用の照明装置に用いる場合、連続点灯において冷陰極管に比べて輝度や色度の変化および、発光面の輝度ムラや色ムラが大きくなることがわかる。そのため特許文献１のように、照明装置内の光源を複数の光源ユニットに分割し、各光源ユニットの発光強度をカラーセンサで検出し、カラーセンサの検出値が同等になるように各光源ユニットの発光強度を調整する技術が提案されている。
【特許文献１】特開２００７−５３１２２号公報
【発明の開示】
【発明が解決しようとする課題】
【０００６】
しかしながら、カラーセンサの受光感度には個体バラツキがあり、各カラーセンサの検出値が同等になるように各光源ユニットの発光強度を調整しても、照明装置の発光面の輝度と色度が完全に均一化できない場合がある。また受光感度の経時変化にも個体バラツキがあるため、長時間使用している間に照明装置の発光面の輝度と色度が変化することが考えられる。
【０００７】
前記変化やムラは、表示画像の見え方に大きな影響を与えるため、同じ輝度や白色で長時間、均一な画像表示が求められる業務（例えば、医用分野の診断用途や印刷分野の色仕上り確認用途など）では、透過型の表示装置用の照明装置の光源を冷陰極管からＬＥＤに置き換える際に問題となる。
【０００８】
本発明は、上述の課題を鑑み、透過型の表示装置用の照明装置において、カラーセンサの受光感度の個体バラツキや受光感度の経時変化が生じても、初期調整状態を自動的に維持できるようにした照明装置及び照明装置の制御方法を提供することを目的とする。
【課題を解決するための手段】
【０００９】
本発明に係る照明装置は、発光領域を複数の分割領域に分割し、前記分割領域毎に発光素子を駆動する駆動手段と、前記分割領域毎にそれぞれ設けられた光強度検出手段と、前記分割領域毎にその分割領域に応じた光強度の基準値が記憶された記憶手段と、前記光強度検出手段により各分割領域毎の光強度を検出し、前記光強度の検出値と前記分割領域に設定された光強度の基準値とを比較し、比較結果に基づいて、前記発光素子の光強度を制御する制御手段とを備えるようにしたことを特徴とする。
【００１０】
本発明に係る照明装置では、さらに、前記複数の分割領域毎に設けられた複数の校正用照明を有し、前記記憶手段には、前記校正用照明を前記分割領域毎に点灯したときの分割領域毎の校正用基準値が記憶されており、前記制御手段は、前記校正用基準値を用いて前記光強度検出手段の経時変化による特性変化を補償するようにしたことを特徴とする。
【００１１】
本発明に係る照明装置の制御方法は、発光領域を複数の分割領域に分割し、前記分割領域毎に発光素子を駆動し、前記複数の分割領域毎に光強度を検出し、前記分割領域毎にその分割領域に応じた光強度の基準値が記憶された記憶手段を参照し、前記分割領域毎に検出された光強度の検出値と当該記憶手段に記憶された分割領域毎に設定された光強度の基準値とを比較し、この比較結果に基づいて、前記発光素子の光強度を制御することを特徴とする。
【００１２】
本発明に係る照明装置の制御方法では、さらに、複数の分割領域毎に設けられた複数の校正用照明を有し、校正用照明を分割領域毎に点灯したときの分割領域毎の校正用基準値を記憶しておき、校正用基準値を用いて前記光強度検出手段の経時変化による特性変化を補償するようにしたことを特徴とする。
【発明の効果】
【００１３】
本発明によれば、発光領域を複数の分割領域に分割し、各分割領域に対してそれぞれ複数の光強度検出手段を設けている。そして、光強度検出手段により各分割領域毎に光強度を検出し、光強度の検出値と、基準値とを比較し、比較結果に基づいて、発光素子の光強度を制御している。また、複数の分割領域毎に設けられた複数の校正用照明を設け、校正用照明を前記分割領域毎に点灯したときの分割領域毎の校正用基準値を記憶している。これにより、カラーセンサの受光感度の個体バラツキや受光感度の経時変化が生じても、初期調整状態を自動的に維持できる。
【発明を実施するための最良の形態】
【００１４】
以下、本発明の実施の形態について図面を参照しながら説明する。図１は、本発明が適用された照明装置の概要を示すものである。本発明が適用された照明装置は、液晶ディスプレイのような透過型表示装置の光源として用いることができる。
【００１５】
図１に示すように、本発明が適用された照明装置では、ベース基材１１の上面に複数個の発光素子が配設されている。全体の発光領域は、複数の分割領域、例えば４つの分割領域Ａ１〜Ａ４に分割されている。ここでは、分割領域Ａ１〜Ａ４にそれぞれ配列されている複数の発光素子を、それぞれ、発光素子群１２−１〜１２−４として示している。また、分割領域Ａ１〜Ａ４のそれぞれに対して、カラーセンサ１３−１〜１３−４が設けられている。さらに、分割領域Ａ１〜Ａ４のそれぞれに対して、校正用照明１４−１〜１４−４が設けられている。なお、ここでは、分割領域の分割数を４としているが、これは一例であり、分割領域の分割数は４に限定されるものではない。
【００１６】
図２は、本発明が適用された照明装置の構成の概要を示すものである。図２に示すように、分割領域Ａ１に配設された複数の発光素子群１２−１は、赤色のＬＥＤ群２１Ｒ−１と、緑色のＬＥＤ群２１Ｇ−１と、青色のＬＥＤ群２１Ｂ−１とからなる。駆動回路２２−１は、分割領域Ａ１に配設されている複数の発光素子群１２−１を駆動するもので、図３に示すように、赤色のＬＥＤ群２１Ｒ−１を駆動するＬＥＤ駆動回路２３Ｒ−１と、緑色のＬＥＤ群２１Ｇ−１を駆動するＬＥＤ駆動回路２３Ｇ−１と、青色のＬＥＤ群２１Ｂ−１を駆動するＬＥＤ駆動回路２３Ｂ−１とを含んでいる。ＬＥＤ駆動回路２３Ｒ−１、２３Ｇ−１、２３Ｂ−１は、制御部２５からの駆動信号に基づいて、赤色のＬＥＤ群２１Ｒ−１、緑色のＬＥＤ群２１Ｇ−１、青色のＬＥＤ群２１Ｂ−１の発光強度を、それぞれ、制御することができる。駆動回路２２−１は、さらに、分割領域Ａ１に配設された校正用照明１４−１を駆動する校正用照明駆動回路２４−１を含んでいる。
【００１７】
同様に、分割領域Ａ２〜Ａ４にそれぞれ配設された複数の発光素子群１２−２〜１２−４は、赤色のＬＥＤ群２１Ｒ−２〜２１Ｒ−４と、緑色のＬＥＤ群２１Ｇ−２〜２１Ｇ−４と、青色のＬＥＤ群２１Ｂ−２〜２１Ｂ−４とからなる。また、赤色のＬＥＤ群２１Ｒ−２〜２１Ｒ−４、緑色のＬＥＤ群２１Ｇ−２〜２１Ｇ−４、青色のＬＥＤ群２１Ｂ−２〜２１Ｂ−４は、駆動回路２２−２〜２２−４により駆動されており、駆動回路２２−２〜２２−４は、制御部２５からの駆動信号に基づいて、分割領域Ａ２〜Ａ４にそれぞれ配設されている赤色のＬＥＤ群２１Ｒ−２〜２１Ｒ−４、緑色のＬＥＤ群２１Ｇ−２〜２１Ｇ−４、青色のＬＥＤ群２１Ｂ−２〜２１Ｂ−４の発光強度を、それぞれ、制御することができる。また、駆動回路２２−２〜２２−４は、校正用照明１４−２〜１４−４を制御することができる。また、発光素子は、駆動回路に対し、その色毎に直列または並列に接続するようにしてもよい。
【００１８】
各分割領域Ａ１〜Ａ４に配設されているカラーセンサ１３−１〜１３−４は、各分割領域の光強度を検出している。カラーセンサ１３−１〜１３−４としては、赤、緑、青のそれぞれの光の帯域透過フィルタを用いた赤、緑、青の輝度センサを有し、発光素子群からの白色光を赤、緑、青の単色光に分光して、それぞれの色の輝度を検出することができる。これらカラーセンサ１３−１〜１３−４の検知出力は、制御部２５に送られている。
【００１９】
記憶部２６には、各分割領域Ａ１〜Ａ４毎に各発光素子群１２−１〜１２−４を点灯させたときの基準値Ｒａ１〜Ｒａ４（第１の基準値）と、各分割領域Ａ１〜Ａ４毎に各校正用照明１４−１〜１４−４を点灯させたときの基準値（第２の基準値）Ｒｂ１〜Ｒｂ４とが記憶されている。
【００２０】
制御部２５は、各分割領域Ａ１〜Ａ４毎に、校正用照明１４−１〜１４−４を点灯させ、このときの検出値と、記憶部２６からの第２の基準値Ｒｂ１〜Ｒｂ４とを用いて、各分割領域毎の補償値Ｃ１〜Ｃ４を算出する。そして、各分割領域Ａ１〜Ａ４毎に、発光素子群１２−１〜１２−４を点灯させたときの検出値Ｄａ１〜Ｄａ４を補償値Ｃ１〜Ｃ４で校正し、校正された検出値ＡＤａ１〜ＡＤａ４と第１基準値Ｒａ１〜Ｒａ４とをそれぞれ比較して、発光素子群１２−１〜１２−４の発光強度をそれぞれ調整している。これにより、カラーセンサの受光感度の個体バラツキや受光感度の経時変化が生じても、照明装置の発光面の輝度と色度を初期調整状態に維持できる。
この発光素子群１２−１〜１２−４の発光強度をそれぞれ調整する制御については、予め決められた周期で行ったり、外部から実行の指示が入力された際に行うようにしてもよく、また、フィードバック制御によって行うようにしてもよい。
【００２１】
図４は、本発明の実施形態の照明装置において、第１及び第２の基準値を設定、記憶する際の処理を示すフローチャートである。
【００２２】
本発明の実施形態の照明装置では、図４に示すように、例えば、工場内で、輝度分布及び色度分布が二次元色彩輝度で計測される（ステップＳ１）。そして、輝度ムラ及び色度ムラが最小で、輝度、色度が最適値となるように、各分割領域Ａ１〜Ａ４の発光素子群１２−１〜１２−４の発光強度が最適に調整される（ステップＳ２）。各分割領域Ａ１〜Ａ４の発光素子群１２−１〜１２−４の発光強度が最適に調整されたら、各分割領域Ａ１〜Ａ４毎に、それぞれの分割領域の発光素子群１２−１〜１２−４のみが点灯され、そのときの発光強度が各分割領域Ａ１〜Ａ４のカラーセンサ１３−１〜１３−４で検出される。この検出値が、第１の基準値Ｒａ１〜Ｒａ４として、記憶部２６に記憶される（ステップＳ３）。また、各分割領域Ａ１〜Ａ４毎に、それぞれの分割領域の校正用照明１４−１〜１４−４が点灯され、そのときの発光強度が各分割領域Ａ１〜Ａ４のカラーセンサ１３−１〜１３−４で検出される。この検出値が、第２の基準値Ｒｂ１〜Ｒｂ４として、記憶部２６に記憶される（ステップＳ４）。
【００２３】
図５は、ステップＳ３の第１の基準値Ｒａ１〜Ｒａ４を求めて記憶するときの処理を示すフローチャートである。
【００２４】
図５において、分割領域ｎが例えば「１」に初期化される（ステップＳ１１）。ｎが「１」の場合、分割領域Ａ１の発光素子群１２−１が点灯され（ステップＳ１２）、このときの発光強度がカラーセンサ１３−１で検出される（ステップＳ１３）。このカラーセンサ１３−１の検出値が分割領域Ａ１の第１の基準値Ｒａ１として記憶部２６に記憶される（ステップＳ１４）。分割領域ｎが最後の分割領域（例えば「４」）に達したかどうかが判断され（ステップＳ１５）、分割領域ｎが最後の分割領域まで達していなければ、分割領域ｎがインクリメントされ（ステップＳ１６）、ステップＳ１２にリターンされる。
【００２５】
以下、ステップＳ１２〜Ｓ１６の処理を繰り返していくことで、分割領域Ａ１〜Ａ４毎に、発光素子群１２−１〜１２−４をそれぞれ点灯させたときの第１の基準値Ｒａ１〜Ｒａ４が求められ、これらの第１の基準値Ｒａ１〜Ｒａ４が記憶部２６に記憶される。
【００２６】
ステップＳ１５で、分割領域ｎが最後の分割領域（例えば「４」）に達したと判断されたら、それで処理が終了される。
【００２７】
図６は、ステップＳ４の第２の基準値Ｒｂ１〜Ｒｂ４を求めて記憶するときの処理を示すフローチャートである。
【００２８】
図６において、分割領域ｎが例えば「１」に初期化される（ステップＳ２１）。ｎが「１」の場合、分割領域Ａ１の校正用照明１４−１が点灯され（ステップＳ２２）、このときの発光強度がカラーセンサ１３−１で検出される（ステップＳ２３）。このカラーセンサ１３−１の検出値が分割領域Ａ１の第２の基準値Ｒｂ１として記憶部２６に記憶される（ステップＳ２４）。分割領域ｎが最後の分割領域（例えば「４」）に達したかどうかが判断され（ステップＳ２５）、分割領域ｎが最後の分割領域まで達していなければ、分割領域ｎがインクリメントされ（ステップＳ２６）、ステップＳ２２にリターンされる。
【００２９】
以下、ステップＳ２２〜Ｓ２６の処理を繰り返していくことで、分割領域Ａ１〜Ａ４毎に、校正用照明１４−１〜１４−４をそれぞれ点灯させたときの第２の基準値Ｒｂ１〜Ｒｂ４が求められ、これらの第２の基準値Ｒｂ１〜Ｒｂ４が記憶部２６に記憶される。
【００３０】
ステップＳ２５で、分割領域ｎが最後の分割領域（例えば「４」）に達したと判断されたら、それで処理が終了される。
【００３１】
本発明が適用された照明装置では、照明装置の電源を一旦オフし、再度オンしたときには、校正用照明１４−１〜１４−４を点灯させ、このときの検出値と、記憶部２６からの第２の基準値Ｒｂ１〜Ｒｂ４を用いて、各分割領域毎の補償値Ｃ１〜Ｃ４が算出される。図７は、補償値Ｃ１〜Ｃ４を算出するときの処理を示すフローチャートである。
【００３２】
図７において、分割領域ｎが例えば「１」に初期化される（ステップＳ３１）。ｎが「１」の場合、分割領域Ａ１の校正用照明１４−１が点灯され（ステップＳ３２）、このときの発光強度がカラーセンサ１３−１で検出される（ステップＳ３３）。このカラーセンサ１３−１の検知出力が検出値Ｄｂ１とされる（ステップＳ３４）。そして、記憶部２６から基準値Ｒｂ１が読み出され（ステップＳ３５）、検出値Ｄｂ１と基準値Ｒｂ１とから、補償値Ｃ１が
Ｃ１＝Ｄｂ１／Ｒｂ１
として求められる（ステップＳ３６）。
【００３３】
ここで、基準値Ｒｂ１は、図６におけるステップＳ２４で、分割領域Ａ１の校正用照明１４−１を点灯したときのカラーセンサ１３−１の初期の検出値である。カラーセンサ１３−１の経時変化があると、今回の検出値Ｄｂ１は、初期の検出値である基準値Ｒｂ１に対して変化する。よって、今回の検出値Ｄｂ１を基準値Ｒｂ１で割った値（Ｄｂ１／Ｒｂ１）がカラーセンサ１３−１の経時変化に基づく補償値となる。なお、補償値を、（Ｒｂ１／Ｄｂ１）として求めてもよい。
【００３４】
ステップＳ３６で、分割領域Ａ１の補償値Ｃ１が求められたら、この補償値が分割領域Ａ１の補償値Ｃ１として記憶部２６に記憶される（ステップＳ３７）。分割領域ｎが最後の分割領域（例えば「４」）に達したかどうか判断され（ステップＳ３８）、分割領域ｎが最後の分割領域まで達していなければ、分割領域ｎがインクリメントされ（ステップＳ３９）、ステップＳ３２にリターンされる。
【００３５】
ステップＳ３２〜ステップＳ３９を繰り返すことで、分割領域Ａ１〜Ａ４の補償値Ｃ１〜Ｃ４が求められ、これらの補償値Ｃ１〜Ｃ４が記憶部２６に記憶される。
【００３６】
図８は、各分割領域Ａ１〜Ａ４の発光素子群１２−１〜１２−４の発光強度を調整する処理を示すフローチャートであるである。
【００３７】
図８において、分割領域ｎが例えば「１」に初期化される（ステップＳ４１）。ｎが「１」の場合には、分割領域Ａ１の発光素子群１２−１が点灯され（ステップＳ４２）、このときの発光強度がカラーセンサ１３−１で検出され（ステップＳ４３）、このカラーセンサ１３−１の出力が検出値Ｄａ１とされる（ステップＳ４４）。
【００３８】
分割領域Ａ１の補償値Ｃ１が読み出され（ステップＳ４５）、この補償値Ｃ１を用いて、検出値Ｄａ１が校正される（ステップＳ４６）。校正された検出値ＡＤａ１は、以下のように求めることができる。
ＡＤａ１＝Ｄａ１／Ｃ１
【００３９】
分割領域Ａ１の第１の基準値Ｒａ１が読み出され（ステップＳ４７）、この第１の基準値Ｒａ１と、校正された検出値ＡＤａ１とが比較される（ステップＳ４８）。
【００４０】
校正された検出値ＡＤａ１と基準値Ｒａ１との差が誤差値ｅの範囲内かどうかが判断され（ステップＳ４９）、校正された検出値ＡＤａ１と基準値Ｒａ１との差が誤差ｅの範囲内でなければ、校正された検出値ＡＤａ１が基準値Ｒａ１より大きいかどうかが判断される（ステップＳ５０）。ステップＳ５０で、校正された検出値ＡＤａ１が基準値Ｒａ１より大きければ、分割領域Ａ１の発光素子群１２−１の発光強度を下げて（ステップＳ５１）、ステップＳ４２にリターンされる。ステップＳ５０で、校正された検出値ＡＤａ１が基準値Ｒａ１より小さければ、分割領域Ａ１の発光素子群１２−１の発光強度を上げて（ステップＳ５２）、ステップＳ４２にリターンされる。
【００４１】
以上のような処理を繰り返していくことで、校正された検出値ＡＤａ１が基準値Ｒａ１に近づいていく。
【００４２】
ステップＳ４９で、校正された検出値ＡＤａ１と基準値Ｒａ１との差が誤差値ｅの範囲内になったと判断されたら、分割領域ｎが最後の分割領域（例えば「４」）に達したかどうかが判断される（ステップＳ５３）。分割領域ｎが最後の分割領域に達していなければ、分割領域ｎがインクリメントされ（ステップＳ５４）、ステップＳ４２にリターンされる。
【００４３】
以上の繰り返しにより、各校正された検出値ＡＤａ１〜ＡＤａ４がそれぞれ各基準値Ｒａ１〜Ｒａ４になるように、各分割領域Ａ１〜Ａ４毎に、発光強度調整が行われる。ステップＳ５３で、ｎが分割数に達したと判断されたら、それで処理が終了される。
【００４４】
なお、上述の例では、分割領域Ａ１〜Ａ４毎の発光素子群１２−１〜１２−４のみを点灯して発光強度を調整する制御を行っているが、初期状態で、分割領域Ａ１〜Ａ４の発光素子群１２−１〜１２−４を同時に点灯させて第１の基準値Ｒａ１〜Ｒａ４を設定しておき、分割領域Ａ１〜Ａ４の発光素子群１２−１〜１２−４を同時に点灯させて発光強度をそれぞれ調整する制御を行うようにしてもよい。
【００４５】
以上説明したように、本発明の実施形態では、分割領域Ａ１〜Ａ４のそれぞれにカラーセンサ１３−１〜１３−４を設け、各分割領域Ａ１〜Ａ４毎に、発光素子群１２−１〜１２−４の投入電力を増減している。このため、発光素子群１２−１〜１２−４のバラツキが生じても、各分割領域Ａ１〜Ａ４の発光強度を初期調整状態に維持できる。また、各分割領域Ａ１〜Ａ４に校正用照明１４−１〜１４−４が設けられ、この校正用照明１４−１〜１４−４により、各カラーセンサ１３−１〜１３−４の経時変化に対応する補償値Ｃ１〜Ｃ４が求められる。この補償値Ｃ１〜Ｃ４を用いて、検出値Ｄａ１〜Ｄａ４を校正することができる。これにより、経時変化によるバラツキが生じても、各分割領域Ａ１〜Ａ４の発光強度を初期調整状態に維持できる。
【００４６】
なお、発光強度を調整する制御をフィードバック制御にて行う場合、このフィードバック制御と補償値Ｃ１〜Ｃ４を算出してカラーセンサ１３−１〜１３−４を校正する処理とについては、図９に示すように、交互に行うことが考えられる。
【００４７】
また、補償値Ｃ１〜Ｃ４を算出してカラーセンサ１３−１〜１３−４を校正する処理は、以下のように行うことが考えられる。
【００４８】
（１）ユーザの指示に従って、補償値Ｃ１〜Ｃ４を算出してカラーセンサ１３−１〜１３−４を校正する処理を行う。
（２）照明装置に設けられた時計機能を利用して、ユーザが利用しない期間に、補償値Ｃ１〜Ｃ４を算出してカラーセンサ１３−１〜１３−４を校正する処理を実施する。
【００４９】
具体的には、ユーザからの指示に従って、補償値Ｃ１〜Ｃ４を算出してカラーセンサ１３−１〜１３−４を校正する処理を行う場合には、ユーザが調整用ボタンを押した時に、補償値Ｃ１〜Ｃ４を算出してカラーセンサ１３−１〜１３−４を校正する処理を行うようにする。
【００５０】
また、照明装置に設けられた時計機能を利用して、ユーザが利用しない期間に実施する場合、ユーザが利用しない期間については、表示装置の電源のオン／オフを自動管理するスケジュール機能が搭載されているので、このスケジュール機能を利用し、表示装置のオフ期間において実施するようにスケジュールを組むことが考えられる。
【００５１】
また、点灯時間の累計時間に応じて、補償値Ｃ１〜Ｃ４を算出してカラーセンサ１３−１〜１３−４を校正する処理を行うようにしてもよい。これは、照明装置が実際に点灯した累計時間をカウントする第１のカウンタと、パワーセーブ時間（ＳＵＳＰＥＮＤ時間）の累計をカウントする第２のカウンタが設けられているので、そのうち、照明装置が実際に点灯した累計時間が予め決められた基準時間に到達した場合に、補償値Ｃ１〜Ｃ４を算出してカラーセンサ１３−１〜１３−４を校正する処理を行なうものである。
【００５２】
本発明は、上述した実施形態に限定されるものではなく、この発明の要旨を逸脱しない範囲内で様々な変形や応用が可能である。
【図面の簡単な説明】
【００５３】
【図１】本発明の実施形態の照明装置の概要を示す説明図である。
【図２】本発明の実施形態の照明装置の構成を示すブロック図である。
【図３】本発明の実施形態の照明装置の駆動回路の構成を示すブロック図である。
【図４】本発明の実施形態の照明装置の説明に用いるフローチャートである。
【図５】本発明の実施形態の照明装置の説明に用いるフローチャートである。
【図６】本発明の実施形態の照明装置の説明に用いるフローチャートである。
【図７】本発明の実施形態の照明装置の説明に用いるフローチャートである。
【図８】本発明の実施形態の照明装置の説明に用いるフローチャートである。
【図９】本発明の実施形態の照明装置の説明に用いるタイミング図である。
【図１０】従来の照明装置の説明に用いるグラフである。
【図１１】従来の照明装置の説明に用いるグラフである。
【図１２】従来の照明装置の説明に用いるグラフである。
【符号の説明】
【００５４】
１１…ベース基材、
１２−１〜１２−４…発光素子群、
１３−１〜１３−４…カラーセンサ、
１４−１〜１４−４…校正用照明
２１Ｒ…赤色のＬＥＤ群、
２１Ｇ…緑色のＬＥＤ群、
２１Ｂ…青色のＬＥＤ群、
２２−１〜２２−４…駆動回路、
２３Ｒ…ＬＥＤ駆動回路、
２３Ｇ…ＬＥＤ駆動回路、
２３Ｂ…ＬＥＤ駆動回路、
２４…校正用照明駆動回路
２５…制御部、
２６…記憶部、
Ａ１〜Ａ４…分割領域
【図１】
0005146871.tif 000002
【図２】
0005146871.tif 000003
【図３】
0005146871.tif 000004
【図４】
0005146871.tif 000005
【図５】
0005146871.tif 000006
【図６】
0005146871.tif 000007
【図７】
0005146871.tif 000008
【図８】
0005146871.tif 000009
【図９】
0005146871.tif 000010
【図１０】
0005146871.tif 000011
【図１１】
0005146871.tif 000012
【図１２】
0005146871.tif 000013